(57)【要約】【課題】飲み口付き水筒の飲み口部材の上限ストロークを決めるストッパーについて、これを再組付けし易く、かつ栓外部に露出させないようにすることである。【解決手段】飲み口部材３１がそのストロークの上限に達した時点で栓５の貫通部１９底面に当たるストッパーとしてのナット４４を該飲み口部材３１の下端部に取付けた構成とした。【選択図】  図１
2004154494.tif 000002
【特許請求の範囲】
【請求項１】
水筒本体の開口部に嵌合された栓に貫通部を設け、該貫通部に水筒本体内部に連通した飲み口部材を一定のストロークをもって上下動可能に挿通し、該飲み口部材の外周に嵌合したコイルばねの上端部を上記飲み口部材のばね受け部で支持するとともに、その下端部を上記貫通部で支持することにより該飲み口部材に突出方向の付勢力を付与し、上記栓に取付けた蓋によりその付勢力に抗して該飲み口部材を押し下げるようにした飲み口付き水筒において、上記飲み口部材がそのストロークの上限に達した時点で上記貫通部底面に当たるストッパーを該飲み口部材の下端部に取付けたことを特徴とする飲み口付き水筒。
【請求項２】
上記ストッパーが上記飲み口部材にねじ止めされたナットであることを特徴とする請求項１に記載の飲み口付き水筒。
【請求項３】
上記ストッパーが上記飲み口部材に挟持されたクリッパーであることを特徴とする請求項１に記載の飲み口付き水筒。
【請求項４】
上記飲み口部材に上記ナットを螺合するねじ部とその下部にチューブの上端部を差し込む接続口を設け、該接続口に差し込まれたチューブを締め付ける締付部を上記ナットの下部に設けたことを特徴とする請求項２に記載の飲み口付き水筒。
【請求項５】
上記接続口の外周面中程部分にそれより先端までの径より若干大きい大径部を設け、その中程部分において上記接続口に嵌合されたチューブの外周面を上記ナットの締付部により締め付けたことを特徴とする請求項４に記載の飲み口付き水筒。
【請求項６】
上記飲み口部材の下端部に上記ねじ部より小径となる段差部を介して上記の接続口を設け、上端につば部を設けたチューブの上端部を上記接続口に差し込み、上記つば部をナットの締付部により上記段差部に対して締め付けたことを特徴とする請求項４に記載の飲み口付き水筒。
【発明の詳細な説明】
【０００１】
【発明の属する技術分野】
この発明は、飲み口付き水筒に関し、特に飲み口部材のストッパーに関するものである。なお、飲み口付き水筒はストロー付き水筒と呼ばれる場合もある。
【０００２】
【従来の技術】
蓋付きの栓に出没自在の飲み口を設けた飲み口付き水筒が一般に普及している。この水筒は、一般に、水筒本体の開口部に嵌合された栓に貫通部を設け、該貫通部に飲み口部材を一定のストロークをもって上下動可能に挿通し、その飲み口部材の下端部にチューブを接続し、そのチューブの下端部を水筒本体内部に垂下している。上記の飲み口部材の外周に嵌合したコイルばねの上端部を上記飲み口部材のばね受け部で支持するとともに、その下端部を上記貫通部で支持することにより該飲み口部材に突出方向の付勢力を付与し、上記栓に取付けた蓋によりその付勢力に抗して該飲み口部材を没入させるようにしている。使用者が蓋を開けると、飲み口部材がコイルばねの付勢力により一定ストロークだけ上昇するので、使用者はその先端の飲み口に直接口をつけて水筒本体内部の飲料を吸引して飲むことができる。
【０００３】
上記の飲み口部材をそのストロークの上限で停止させるストッパーとして、以下のようなストッパーを設けることが従来から行われている。即ち、上記チューブの途中にリング状の弾性部材を挿通して取付けること（特許文献１参照）、また、栓の外部において飲み口部材に挿通したキャップ状のストッパーを栓に係止し、飲み口部材のつばをそのストッパー内面に当てること（特許文献２参照）、さらに、蓋のロック解除ボタンにストッパー機能をもたせ、押し込まれたロック解除ボタンの先端部に飲み口部材の突起を係合させること（特許文献３参照）等の手段が知られている。
【０００４】
また、上記の飲み口部材の下端の接続口にチューブの上端部を接続する構造としては、チューブの上端部を飲み口部材下端部の外周面に差し込む構造（特許文献２参照）や、チューブの上端部を飲み口部材下端部の内周面に差し込む構造（特許文献３参照）が採られる。
【０００５】
【特許文献１】
実公平６−６７３９号公報（第３欄３０〜３１行目、第１図）
【特許文献２】
登録実用新案第３０３３６６１号公報（段落００１１、図３）
【特許文献３】
特開２０００−１０６９４７号公報（段落００３３、図４）
【０００６】
【発明が解決しようとする課題】
上記の特許文献１の場合のストッパーは、リング状の弾性部材をチューブに挿通しているだけであるので、分解洗浄の際にそのストッパーの位置がずれ易く、ずれた場合は正規の位置に戻さなければならない不便がある。特許文献２の場合のストッパーは外部から操作できるので、子供などが不用意にこれを外してしまうことがあり、内部の液体をこぼしてしまうようなことが起こりうる。また、蓋を開けた際にそのストッパーが外部から見えるため、外観を損なう問題もある。特許文献３の場合は構造が複雑であり、ロック解除ボタンがストッパーであることが分かり難くいため、使用者が行う分解洗浄時の分解・再組立が困難になる問題がある。
【０００７】
また、従来の飲み口部材とチューブの接続構造は、飲み口部材の下端部のストレート部の外周面又は内周面にチューブの上端部を差し込んだ構造であった。この構造によるとチューブの差込みの確実性とシール性を維持するため、差込み部におけるチューブの締付力を大きくする必要があった。しかし、チューブの締付力を大きくすると、逆に分解・再組立の際におけるチューブの着脱性が悪くなる不具合があった。
【０００８】
そこで、この発明は、分解・再組立に伴う上記のような不具合を解消した飲み口付き水筒を提供することを課題とする。
【０００９】
【課題を解決するための手段】
上記の課題を解決するために、この発明は、水筒本体の開口部に嵌合された栓に貫通部を設け、該貫通部に水筒本体内部に連通した飲み口部材を一定のストロークをもって上下動可能に挿通し、該飲み口部材の外周に嵌合したコイルばねの上端部を上記飲み口部材のばね受け部で支持するとともに、その下端部を上記貫通部で支持することにより該飲み口部材に突出方向の付勢力を付与し、上記栓に取付けた蓋によりその付勢力に抗して該飲み口部材を押し下げるようにした飲み口付き水筒において、上記飲み口部材がそのストロークの上限に達した時点で上記貫通部底面に当たるストッパーを該飲み口部材の下端部に取付けた構成を採用した。
【００１０】
上記ストッパーとしては、上記飲み口部材にねじ止めされたナット或いは、飲み口部材に挟持されたクリッパーによってその機能を発揮させることができる。
【００１１】
上記のようなストッパーを設けることにより、ストッパーは所定位置に位置決めされ、栓の外部からは見えず、また、外部からそのストッパーを外すことはできない。
【００１２】
さらに、飲み口部材とチューブの接続構造としては、上記飲み口部材に上記ナットを螺合するねじ部とその下部にチューブの上端部を差し込む接続口を設け、該接続口に差し込まれたチューブを締め付ける締付部を上記ナットの下部に設けた構成を採用することができる。この構成によると、チューブ自体に締付力は不要であり、代わりにナットに設けた締付部によりチューブを締め付けることができる。
【００１３】
さらに、接続構造の具体的構成としては、上記接続口の外周面中程部分にそれより先端までの径より若干大きい大径部を設け、その中程部分において上記接続口に嵌合されたチューブの外周面を上記ナットの締付部により締め付けた構成や、上記飲み口部材の下端部に上記ねじ部より小径となる段差部を介して上記の接続口を設け、上端につば部を設けたチューブの上端部を上記接続口に差し込み、上記つば部をナットの締付部により上記段差部に対して締め付けた構成を採ることができる。
【００１４】
【発明の実施の形態】
以下、この発明の実施形態を添付図面に基づいて説明する。図１に示すように、実施形態の飲み口付き水筒は、真空二重容器でなる水筒本体１と、その水筒本体１の肩部２から開口部３の範囲にわたりこれらの部分をカバーする肩部材４を嵌合一体化し、その肩部材４に栓５を着脱自在に螺合している。栓５は、肩部材４の外周部に嵌合された栓リング６と、その栓リング６の内側に嵌合された栓体７とにより構成される。
【００１５】
上記の栓リング６の下端部内周面にねじ条８が設けられ、肩部材４のねじ条９と螺合される。栓リング６の上端に開口１１が設けられ（図２参照）、その開口１１の後端部にヒンジ受け部１２が設けられる。上記開口１１の内周面に周方向のリブ１３が設けられるとともに、ヒンジ受け部１２下方の開口１１の内面下端に位置決め凹部１４が設けられる。また、ヒンジ受け部１２に半径方向の一対のガイド壁１５、１５が設けられる。
【００１６】
前記の栓体７の下端外周面には、図１、図２に示すようにパッキン１６が装着され、また上端面に開口１７を有する深いガイド凹部１８が設けられる。そのガイド凹部１８の下端に貫通部１９が設けられる。ガイド凹部１８はその中心線が栓５の前方に傾斜した状態に設けられることから、開口１７は図２に示すように、前方に傾斜している。また、下端の貫通部１９に近い内周部に段部２１が設けられ、その段部２１から上端の開口１７までの部分が若干大径に形成される。貫通部１９の内径面には対向一対のガイド用の切欠き部２２、２２が設けられる（図２参照）。また、開口１７の後端部に半径方向の一対のガイド壁２３，２３が設けられる。このガイド壁２３、２３は後述のように、前記栓リング６のガイド壁１５、１５と突き合わされ、ロックボタン２４のガイド部２５を構成する。また、開口１７の外周部下方において水平の上端面２６が設けられ、さらに、その上端面２６の下方の外周面に中間段部２７が設けられる。
【００１７】
上記の栓体７は栓リング６の下方から挿入され、栓リング６の開口１１に栓体７の上端部を差し込むとともに、その上端面２６の外周面をリブ１３に若干の抵抗をもって嵌合させる。即ち、スナップフィットさせる。また、これと同時に、中間段部２７が開口１１の下端面に対向して、上方への抜け出しを防止して上下方向の位置決めを行う。また、前記のガイド部２５下方に設けた位置決め突片２８（図１、図２参照）を、開口１１の位置決め凹部１４に嵌合させ、栓体７の周方向の位置決めを行う。
【００１８】
上記栓体７のガイド凹部１８に飲み口部材３１が上下方向にスライド可能に挿通される。飲み口部材３１はパイプ状の部材で形成され、図４（ａ）（ｂ）に示すように、中間部につば３２が設けられ、そのつば３２とその下部に設けたばね受け部３３との間にパッキン３４が嵌合される。そのつば３２から上端までの間が飲み口３５となる。つば３２とパッキン３４は段部２１より上部のガイド凹部１８の大径部に収納され、つば３２が飲み口部材３１のスライドを案内する。パッキン３４は、飲み口部材３１が下端位置にある場合において段部２１上に密着しシールを図る。
【００１９】
上記ばね受け部３３の下方に、飲み口部材３１の上下動ストロークより若干長い案内部３８が設けられ、さらにその案内部３８の下部にねじ部３９、そのねじ部３９の下部に接続口４１が設けられる。上記の案内部３８には、その全長にわたり対向一対のガイドリブ４２、４２が設けられる。このガイドリブ４２、４２は、ガイド凹部１８下端の貫通部１９に設けられた前記の切欠き部２２、２２（図２参照）に嵌合され、これにより飲み口部材３１の中心線周りの回り止めが図られる。
【００２０】
上記の案内部３８の周りに前記のコイルばね３６が嵌合される。コイルばね３６の内径は、その自然な状態で前記のガイドリブ４２、４２を含む案内部３８の外径より大に形成され、コイルばね３６は案内部３８の長さ方向に自由に移動することができる。
【００２１】
上記のコイルばね３６は、その下端部を貫通部１９に係合させることにより、飲み口部材３１に上向きの付勢力を与え上方にスライドさせるが、そのスライドストロークの上限を定めるためのストッパーとしてナット４４が前記のねじ部３９に螺合される。その螺合位置は、飲み口部材３１がそのストロークの上限に達した時点で貫通部１９の底面にこれを当たる位置に設定される。
【００２２】
また、前記の接続口４１に柔軟なチューブ４５の上端が差し込まれる。チューブ４５の下端部は、図１に示すように、水筒本体１の内壁に接触してわん曲され下端部が底面に達する。これにより飲み口部材３１が水筒本体１の内部に連通される。
【００２３】
前述のヒンジ受け部１２に回動自在に取付けられた蓋４６は、栓５の上部を閉鎖すると同時にその内面に装着したシール部材４７により飲み口３５の上端面を押し込み、コイルばね３６を圧縮させつつパッキン３４が段部２１に当たるまで、即ち飲み口部材３１のスライドストロークの下限まで押し込む。蓋４６を閉鎖状態にロックするために前述のロックボタン２４がガイド部２５に挿入される。ロックボタン２４は、その先端上部にロック爪４８が設けられるとともに、コイルばね５０により外向きに付勢される。ロックボタン２４が押し込まれると、ロック爪４８が蓋４６の係合部４９に係合され、蓋４６を閉鎖状態にロックする（図１の実線の状態参照）。このロックボタン２４をさらに押し込むとロックが解除され、蓋４６は飲み口部材３１を上向きに押上げるコイルばね３６の付勢力により押し開かれる。また、飲み口部材３１はナット４４が貫通部１９の底面に当たることにより、ストロークの上限で停止される（図１の二点鎖線参照）。
【００２４】
実施形態の飲み口付き水筒は以上のようなものであり、これを分解洗浄する場合は、蓋４６を開けて栓５を肩部材４から外し、その栓５を栓リング６と栓体７に分解するとともに、チューブ４５、ナット４４を外して飲み口部材３１をガイド凹部１８から抜き出す。再組立時はその逆の手順による。
【００２５】
上記の実施形態においては、ストッパーとしてナット４４を用い、飲み口部材３１がそのストロークの上限に達した時点で貫通部１９の底面にこれを当てるようにしているが、そのナット４４に代えて、図３の（ａ１）（ａ２）から（ｄ１）（ｄ２）に示すような弾性のある合成樹脂で形成されたクリッパー４４’を用いることができる。
【００２６】
図３（ａ１）（ａ２）に示したクリッパー４４’は、一対のクリッパー片５１、５１の中間部を連結部５２により連結一体化するとともに、それらの一端部に対向した円弧状の挟持部５３、５３を設け、他端部に指掛け部５４、５４を設けたものであり、指掛け部５４、５４を指先で把持して挟持部５３、５３を開放し、飲み口部材３１（図４（ａ）（ｂ）参照）の案内部３８の下端に挟持させる。この場合の飲み口部材３１には前記のようなねじ部３９は不要であり、これに代えて案内部３８の下端部に係合溝４０を設けている。挟持部５３、５３はその係合溝４０に係合するように、断面Ｌ字形に形成される。
【００２７】
図３（ｂ１）（ｂ２）に示したクリッパー４４’は、リング部５５の外周面の対象位置に指当て部５６、５６を設け、一方の指当て部５６の両端部内側から他方の指当て部５６の両端部内側に渡るアーム５７、５７を設け、各アーム５７の中間部に対向した円弧状の挟持部５３、５３を設けたものである。指当て部５６，５６を指で押さえてリング部５５を扁平状態に弾性変形させるとともに、挟持部５３，５３間も扁平状態に変化させて、飲み口部材３１の接続口４１に通し、指当て部５６、５６から指先を離し、強制的に案内部３８の下端にまで押上げる。このとき、挟持部５３、５３が円滑に係合溝４０の部分にまでスライドできるように、接続口４１と係合溝４０の間は、接続口４１側が細くなるテーパー状に形成される。
【００２８】
図３（ｃ１）（ｃ２）に示したクリッパー４４’は、半円筒状の一対のクリッパー片５９、５９を対向状に設け、その中間部を細い連結部６１で連結し、各クリッパー片５９、５９の一端部に内向きの挟持部５３、５３を対向状に設け、他端部に指掛け部６２、６２を設けたものである。指掛け部６２、６２を指先で押さえて挟持部５３、５３を開放して飲み口部材３１の接続口４１から差込み、挟持部５３、５３を係合溝４０に係合させる（図４参照）。
【００２９】
図３（ｄ１）（ｄ２）に示したクリッパー４４’は、円筒体６３に切離し端部６４、６４を設け、各切離し端部６４、６４の中間部にＬ形の屈曲部６５、６５を設けることにより、円周方向の凸部６６と凹部６７を相補的に形成し、その凸部６６にそれぞれ外向き径方向の指掛け部６８、６８を設けたものである。両方の指掛け部６８、６８に指を掛け、相互に接近する方向にひねると円筒体６３が拡径されるので、これを飲み口部材３１の接続口４１から差し込んで、円筒体６３の一端部に設けられた挟持部５３を係合溝４０に係合させる。
【００３０】
以上の各クリッパー４４’は、前記のナット４４と同様に、飲み口部材３１が上昇した際、そのストロークの上限で貫通部１９の底面に当たり、飲み口部材３１の上昇を停止させる。
【００３１】
次に、図５及び図６に基づいて、前記ナット４４を変形したナット４４ａと、飲み口部材３１とチューブ４５の接続構造の変形例を説明する。この場合にナット４４ａは、上端部外周面が膨出するとともにその上端面が拡径されたストッパー部７１となっている。また、その下端部内周面に内向きつば部７２が形成され、ユニオンナットのようになっている。このナット４４ａは、図５及び図６のいずれにおいても共通のものである。ストッパー部７１の上端面を拡径したのは、主として補強のためである。
【００３２】
図５の場合の飲み口部材３１は、下端部に前述の場合と同様のねじ部３９と接続口４１が設けられる。その接続口４１の中程の全周に微小なリブ７４が形成され、そのリブ７４から先端までは僅かなテーパが付けられ、また、リブ７４から上端の段差部７３（接続口４１側が小径となる段差部）までの間はストレートになっている。上記のリブ７４は、特許請求の範囲にいうところの、接続口４１の外周面中程部分にそれより先端までの径より若干大きい径をもって形成された大径部に相当するものである。
なお、接続口４１にリブ７４を設ける代わりに、図５（ｃ）に示すように、接続口４１の全体を先端側が細くなるテーパ状に形成する場合がる。この場合は、その中程部分の径差のある部分が特許請求の範囲にいう中程部分の大径部に相当する。また同図（ｄ）に示すように、接続口４１の中間部から先端側をテーパ部、後端側をストレート部に形成する場合もある。この場合はそのテーパ部の中程部分又はテーパ部とストレート部の境界部分が、同様に中程部分の大径部に相当する。
【００３３】
チューブ４５の上端部を接続口４１に差し込んで段差部７３に押し当てると、チューブ４５は上記のリブ７４の部分で若干の抵抗を受け抜け止めされる。そのうえでナット４４ａをチューブ４５に挿通してねじ部３９に螺合すると、内向きつば部７２の内周面がリブ７４の外周においてチューブ４５を締め付ける（図５（ｂ）参照）。ナット４４ａの内向きつば部７２がリブ７４に達しないと締め付け不足であり、またリブ７４を越えると締め過ぎであるので、丁度リブ７４のうえに達した時点でナット４４ａが停止するよう、ナット４４ａの上端を前記のガイドリブ４２の下端で規制するようにしている。
【００３４】
図７の場合の飲み口部材３１は、ねじ部３９と接続口４１の間の段差部７３が前記の場合より大きく形成される。接続口４１は全長に渡りストレートであるように図示しているが、前述のように先端側にテーパを付けてもよい。チューブ４５の上端に外向きに突き出したつば部７５を設けている。このチューブ４５の上端部を接続口４１に差し込んでつば部７５を段差部７３に当てた状態でナット４４ａをねじ部３９に螺合すると、チューブ４５のつば部７５が段差部７３とナット４４ａの内向きつば部７２との間で締め付けられる（図７（ｂ）参照）。この場合も、ナット４４ａの上端をガイドリブ４２の下端で規制することにより、ナット４４ａの締め付け量に過不足を来たさないようにすることができる。
【００３５】
【発明の効果】
以上のように、この発明は飲み口部材のストロークの上限においてその上昇を停止させるストッパーを、栓の貫通部に挿通された飲み口部材の下端部に取付けるようにしたので、ストッパーの取付け位置が一定し、使用者が再組立する場合にも正規の位置に容易に取付けることができる。また、上記のストッパーは栓の内部に設けられるので、水筒の外観形状に影響を与えることがない。さらに、外部から操作することはできないので、不用意にストッパーを外すような事態を防ぐことができる。
【００３６】
また、飲み口部材に上記のナットを螺合するねじ部とその下部に接続口を設け、該接続口に差し込まれたチューブを締め付ける締付部を上記ナットに設けた接続構造をとることにより、ナットは前記のストッパー機能を有するとともに、そのナットの操作によるだけでチューブの着脱を行うことができる便利さがある。また、そのナットの締め付けによりチューブのシール性が確保され、同時にその締め付けに伴うチューブの弾性により、ナットの緩みが防止される。
【図面の簡単な説明】
【図１】実施形態の断面図
【図２】同上の一部分解斜視図
【図３】（ａ１）  ストッパーの変形例の斜視図
（ａ２）  （ａ１）図の平面図
（ｂ１）  ストッパーの変形例の斜視図
（ｂ２）  （ｂ１）図の平面図
（ｃ１）  ストッパーの変形例の斜視図
（ｃ２）  （ｃ１）図の平面図
（ｄ１）  ストッパーの変形例の斜視図
（ｄ２）  （ｄ１）図の平面図
【図４】（ａ）飲み口部材にクリッパーを取付けた状態の正面図
（ｂ）（ａ）図の断面図
【図５ａ】他の実施形態の接続部における締め付け前の断面図
【図５ｂ】同上の締め付け後の断面図
【図５ｃ】同上の接続口の変形例を示す断面図
【図５ｄ】同上の接続口の他の変形例を示す断面図
【図６】（ａ）図５ａ〜図５ｄの場合のナットの正面図
（ｂ）同上の底面図
（ｃ）図５ａ、図５ｂの場合の接続口部分の正面図
【図７】（ａ）その他の実施形態の接続部における締め付け前の断面図
（ｂ）同上の締め付け後の断面図
【符号の説明】
１  水筒本体
２  肩部
３  開口部
４  肩部材
５  栓
６  栓リング
７  栓体
８  ねじ条
９  ねじ条
１１  開口
１２  ヒンジ受け部
１３  リブ
１４  位置決め凹部
１５  ガイド壁
１６  パッキン
１７  開口
１８  ガイド凹部
１９  貫通部
２１  段部
２２  切欠き部
２３  ガイド壁
２４  ロックボタン
２５  ガイド部
２６  上端面
２７  中間段部
２８  位置決め突片
３１  飲み口部材
３２  つば
３３  ばね受け部
３４  パッキン
３５  飲み口
３６  コイルばね
３８  案内部
３９  ねじ部
４０  係合溝
４１  接続口
４２  ガイドリブ
４４  ナット
４４’  クリッパー
４５  チューブ
４６  蓋
４７  シール部材
４８  ロック爪
４９  係合部
５０  コイルばね
５１  クリッパー片
５２  連結部
５３  挟持部
５４  指掛け部
５５  リング部
５６  指当て部
５７  アーム
５９  クリッパー片
６１  連結部
６２  指掛け部
６３  円筒体
６４  切離し部
６５  屈曲部
６６  凸部
６７  凹部
６８  指掛け部
７１  ストッパー部
７２  内向きつば部
７３  段差部
７４  リブ
７５  つば部
【図１】
2004154494.tif 000003
【図２】
2004154494.tif 000004
【図３】
2004154494.tif 000005
【図４】
2004154494.tif 000006
【図５ａ】
2004154494.tif 000007
【図５ｂ】
2004154494.tif 000008
【図５ｃ】
2004154494.tif 000009
【図５ｄ】
2004154494.tif 000010
【図６】
2004154494.tif 000011
【図７】
2004154494.tif 000012